(57)【特許請求の範囲】
【請求項１】
操作部（１２）と表示部（１１）とを有するユーザＩ／Ｆ部（１０）と、被測定物又は被測定信号を測定する測定部（３０）と、前記測定部により得られた測定データに基づいて前記表示部に所定表示範囲の測定データを測定波形として表示させるデータ表示制御部（６１）、表示される該測定波形上に前記ユーザＩ／Ｆ部からのマーカ操作に応じて所定幅のゾーンマーカの位置を移動させて表示させるゾーンマーカ生成部（６４）、及び該所定幅の該ゾーンマーカ内における波形の最大位置にピークマーカを表示させるピークマーカ生成部（６１ｂ）を有する表示制御部（６０Ｂ）と、を備えた測定装置であって、
前記マーカ操作は、前記表示部の前記測定波形を表示している波形表示領域に指針を置いて該指針を移動させることで行われ、さらに、
前記表示制御部は、前記マーカ操作の開始時の該指針の前記幅方向と異なる他の方向の位置から該マーカ操作により該他の方向へ移動した該指針の位置までの相対距離を検知して、予め記憶しておいた前記相対距離と前記所定表示範囲の変化を示す変化量との関係を基に、該検知した前記相対距離に応じた変化量を求め、先に設定されている前記所定表示範囲を求めた前記変化量で変更して表示させるとともに、該指針が幅方向へ移動したときの幅方向移動量を検知するスパン制御部（６５）を備え、
前記ゾーンマーカ生成部は、該スパン制御部が変更した該所定表示範囲の測定波形上に、検知された前記指針の前記幅方向移動量にしたがった位置に移動させて表示させ、
前記ピークマーカ生成部は、変更された該所定表示範囲で、かつ移動して表示された前記ゾーンマーカの前記所定幅内における波形の最大位置に前記ピークマーカを表示させることを特徴とする測定装置。
【請求項２】
前記スパン制御部は、さらに前記ゾーンマーカの所定幅の中心位置を検知し、前記測定部は、該スパン制御部が検知した該ゾーンマーカの中心位置を中心に、前記所定表示範囲を検知された前記相対距離に対応する表示範囲に変更して表示させることを特徴とする請求項１に記載の測定装置。
【発明の詳細な説明】
【技術分野】
【０００１】
本発明は、例えば被測定物或いは被測定信号を測定し、その測定データを表示する測定装置に関する。特に、本発明は、例えば、測定データに基づく測定波形を表示するとともに、その測定波形上の目標点を波形マーカ等で指定して、その特定点の測定波形の特性値を求める場合に、その波形マーカを目標点に容易に設定できる測定装置に係る。
【背景技術】
【０００２】
操作者が、表示画面を観測しながら操作部、例えば、マウス等を手操作して、波形マーカ（或いは、マーカ、カーソル等と呼ばれている。）を表示画面の目標点の位置に一致させようとして移動させようとすると、目標点を通り過ぎてしまう等、微調整が困難な面がある。それを解決するための技術として、特許文献１の技術がある。
【０００３】
特許文献１に記載の技術は、キー入力部から波形マーカの移動速度が設定可能にされており、その設定された移動速度と表示画面の表示データ数とから、波形マーカの移動量を求めて、その求めた移動量だけ表示画面における波形マーカの位置を移動させて、調整するものである。
【０００４】
特許文献１の技術によれば、波形マーカの移動速度が任意に設定できるので、目標点にカーソルを設定しやすくすることができる。
【０００５】
又、特許文献２のように、所定幅を有するゾーンマーカを生成して、その所定幅のゾーン内の波形のピーク位置をサーチし、自動でその波形のピーク位置にピークマーカを付して表示する技術があった。これは、ピーク位置等の特徴部分をサーチするのに便利であった。
【先行技術文献】
【特許文献】
【０００６】
【特許文献１】特開平５−１４２２６２号公報
【特許文献２】特許第２８８０７１１号公報
【発明の概要】
【発明が解決しようとする課題】
【０００７】
しかしながら、上記、特許文献１の技術は、波形マーカの移動速度がキー入力部で切り替え、設定しなければならない。一般に、画面上で波形マーカを目標点へ移動させるとき、操作者は目で画面を直視しながら、手でマウス等を操作して波形マーカを移動させる。その波形マーカを移動させているとき操作者が微調整を望んだとき、特許文献１では、操作者が、マウス等による波形マーカの移動操作とは異なる、キー操作により、移動速度を変更させなければならないので、スムースに流れるような感覚で波形マーカの位置調整ができない恐れがあった。特に、移動速度を複数段階に切り替える場合は、一層、調整のスムースさを欠く欠点があった。
【０００８】
特許文献２の技術は、ピーク点がゾーン内に複数ある場合に、希望するピーク点ではない他のピーク点にマーカが表示される可能性があった。
【０００９】
本発明の目的は、単一的な手段による、かつ連続的に一連のマーカ操作の中で粗調整、微調整を切り替え可能にして、波形マーカの位置（移動）調整がスムースに行える技術を提供することである。
【００１０】
さらに、ピーク点をサーチする場合は、測定データが表示される表示範囲と，サーチしたい範囲であるゾーンマーカの所定幅との相対的な大きさを容易に変更できるようにすることで、複数のピーク点を分離して観測し易い技術を提供することである。
【課題を解決するための手段】
【００１１】
ここで、本発明における「マーカ操作」とは、操作者による波形マーカを移動させるための操作であって、直接的（例えばタッチパネルで指（指針）で操作）或いは間接的な（タッチパネルでペン（指針）で操作、或いは表示画面に指の代わりになる指針マーカ（指針）を出してそれをマウス等で操作、等の態様）な操作を言う。
【００１２】
上記目的を達成するために具体的には、請求項１に記載の発明は、操作部（１２）と表示部（１１）とを有するユーザＩ／Ｆ部（１０）と、被測定物又は被測定信号を測定する測定部（３０）と、前記測定部により得られた測定データに基づいて前記表示部に所定表示範囲の測定データを測定波形として表示させるデータ表示制御部（６１）、表示される該測定波形上に前記ユーザＩ／Ｆ部からのマーカ操作に応じて所定幅のゾーンマーカの位置を移動させて表示させるゾーンマーカ生成部（６４）、及び該所定幅の該ゾーンマーカ内における波形の最大位置にピークマーカを表示させるピークマーカ生成部（６１ｂ）を有する表示制御部（６０Ｂ）と、を備えた測定装置であって、前記マーカ操作は、前記表示部の前記測定波形を表示している波形表示領域に指針を置いて該指針を移動させることで行われ、さらに、前記表示制御部は、前記マーカ操作の開始時の該指針の前記幅方向と異なる他の方向の位置から該マーカ操作により該他の方向へ移動した該指針の位置までの相対距離を検知して、予め記憶しておいた前記相対距離と前記所定表示範囲の変化を示す変化量との関係を基に、該検知した前記相対距離に応じた変化量を求め、先に設定されている前記所定表示範囲を求めた前記変化量で変更して表示させるとともに、該指針が幅方向へ移動したときの幅方向移動量を検知するスパン制御部（６５）を備え、前記ゾーンマーカ生成部は、該スパン制御部が変更した該所定表示範囲の測定波形上に、検知された前記指針の前記幅方向移動量にしたがった位置に移動させて表示させ、前記ピークマーカ生成部は、変更された該所定表示範囲で、かつ移動して表示された前記ゾーンマーカの前記所定幅内における波形の最大位置に前記ピークマーカを表示させる構成とした。
【００１３】
請求項２に記載の発明は、請求項１に記載の発明において、前記スパン制御部は、さらに前記ゾーンマーカの所定幅の中心位置を検知し、前記測定部は、該スパン制御部が検知した該ゾーンマーカの中心位置を中心に、前記所定表示範囲を検知された前記相対距離に対応する表示範囲に変更して表示させる構成とした。
【発明の効果】
【００１４】
上記、請求項１、２に記載の本発明の構成によれば、操作者は、表示部の表示上で、指針を連続的に移動操作する中でゾーンマーカの所定幅と測定データの表示範囲との相対的な大きさを変更することでゾーンマーカの相対的なかつ実効的な分解能が調整できるので、複数あるピーク点を分離してゾーンマーカで捉えやすくなる。
また、マーカを連続的に移動操作するなかでゾーンマーカの相対的なかつ実効的な分解能がスムースに調整できるので、操作がしやすい。
【図面の簡単な説明】
【００１５】
【図１】第１の実施形態の機能・構成を示す図である。
【図２】第１の実施形態における波形マーカについての動作・操作を説明するための図であって、一表示例である。
【図３】図２と同じ表示例であって、第１の実施形態における波形マーカについての動作・操作を説明するための図である。
【図４】図２と同じ表示例であって、第１の実施形態における波形マーカについての動作・操作を説明するための図である。
【図５】第１の実施形態における波形マーカについての動作・操作を説明するための図であって、指針の初期位置の違いによる操作の違いを説明するための図である。
【図６】第１の実施形態における波形マーカについての動作・操作を説明するための図であって、指針の初期位置の違いによる操作の違いを説明するための図である。
【図７】第１の実施形態における波形マーカについての動作・操作を説明するための図であって、他の一表示例である。
【図８】第１の実施形態における動作フローを示す図である。
【図９】第２の実施形態の機能・構成を示す図である。
【図１０】第２の実施形態における波形マーカを操作するための表示形態を示す図である。
【図１１】第２の実施形態における動作フローを示す図である。
【図１２】第３の実施形態の機能構成を示す図である。
【図１３】第４の実施形態の機能構成を示す図である。
【図１４】第３の実施形態における波形マーカについての動作・操作を説明するための図である。
【図１５】第３の実施形態における波形マーカについての動作・操作を説明するための図である。
【図１６】第３の実施形態における波形マーカについての動作・操作を説明するための図である。
【図１７】第３の実施形態における波形マーカについての動作・操作を説明するための図である。
【図１８】第５の実施形態の機能構成を示す図である。
【図１９】第６の実施形態の機能構成を示す図である。
【図２０】第５の実施形態における波形マーカについての動作・操作を説明するための図である。
【図２１】第５の実施形態における波形マーカについての動作・操作を説明するための図である。
【図２２】第５の実施形態における波形マーカについての動作・操作を説明するための図である。
【発明を実施するための形態】
【００１６】
ここでは、マーカの移動量のコンロールに係る本発明について、測定装置の表示部の画面にセンサ機能を有するタッチパネルを用いた第１の実施形態、画面にセンサ機能の無い通常の表示装置を用いた第２の実施形態に分けて説明する。また、ゾーン内のピークマーカを複数のピークを分離して設定しやすくする本発明については、ゾーン幅を変更する例を第３、４の実施形態で、測定データ（測定部３０で測定された測定波形）を表示する範囲である表示範囲を変更する例を第５、６の実施形態で説明する。
【００１７】
請求項で記載のマーカ操作の対象は、第１、２の実施形態では指針（マーカ）を介して波形マーカを移動させることであり、第３〜第６実施形態では、指針（マーカ）を介してゾーンマーカを移動させることである。そして、第３〜第６実施形態では、自動的にゾーン内の波形の最大位置にピークマーカを位置させる。
【００１８】
［第１の実施形態］
図１を基に第１の実施形態について説明する。測定部３０は、ここでは、例えば、移動体通信機器等の被試験機器に信号発生部３０ａから実際の無線システムで規定される信号を送り、被試験機器からの信号を信号解析部３０ｂで受信して、解析することにより、被試験機器を検査するものである。そのとき、受信した信号を時間領域で解析したり、周波数領域でその信号の周波数スペクトラムを解析することがある。そのような解析を行うとき、受信した信号、或いはそれらを変換した信号を表示部１１に横軸を時間、縦軸をその時間におけるレベル（つまり測定波形の大きさ）とした時間領域座標で表される時間領域の測定波形１００、或いは横軸を周波数、縦軸をその周波数におけるレベル（測定波形の大きさ）とした周波数領域座標で表されるスペクトラムの測定波形１００として表示制御部２０へ送り、表示制御部２０でそれらを表示部１１に表示させる。なお、本発明が適用可能な測定装置としては、上記の移動体通信機器を検査する測定部３０を有するものに限らず、測定（撮影等も含む）して得られたデータを画像として表示し、その中に波形マーカ１１０を挿入して、その波形マーカ１１０の位置における画像特性を取得するもの、例えば、形状測定、流量測定、医用測定等の測定分野に適用可能である（第１〜第６の実施形態とも同じ）。但し、以下の説明では、測定波形を、横軸を解析の基準とする時間、周波数等、縦軸をそれらにおける測定波形の大きさで表される座標で展開されるデータとして説明する。
【００１９】
表示制御部２０内のデータ表示制御部２１は、測定データ記憶部２１ａに、測定部３０からの測定波形１００を、測定されたときの横軸情報（例えば、横軸の時間、周波数等）をアドレスとしてその波形の大きさ（縦軸の位置に相当）を記憶する。そして、測定データ記憶部２１ａに記憶された測定波形１００を、表示部１１上の画面上に横軸―縦軸の座標とともに表示させる。
【００２０】
マーカ生成部２１ｂは、図２に示すような形態の波形マーカ１１０を生成するとともに、後記する指示量検知部２２及び相対距離検知部２３から得られる情報を基に横軸位置Ｘ１を決定し、かつその決定した横軸位置に相当するアドレスにある波形の大きさ（Ｙ１）を測定データ記憶部２１ａから読み出し、表示部１１に表示されている横軸―縦軸の座標上であって測定波形の上に、つまり座標（Ｘ１，Ｙ１）に波形マーカ１１０を表示させる。図２（Ａ）がその表示例である。なお、指示量検知部２２からの情報が無い初期状態では、マーカ生成部２１ｂが横軸の特定の初期位置を与えておく。この波形マーカ１１０の移動指示は、指針１５０によって行われる。波形マーカ１１０は、この例では指針１５０の横軸と平行な方向への移動に追随して、移動する。そして、指針１５０の縦軸方向への移動距離（相対距離）によって、波形マーカ１１０が指針１５０の移動に追随する距離（速度）が変わる。詳細を以下に説明する。
【００２１】
指示量検知部２２は、図２（Ａ）に示すように表示部１１の画面（測定波形１００を表示する表示領域、つまり横軸―縦軸で示される座標が表示される領域、以下同様の意味である。）で指針１５０が横軸と平行な方向へ操作されたときの操作量（指針の移動量でもある）、例えば、操作者が指で画面のタッチパネルに触れてその触れる位置を横軸方向へ移動させるときはその指（指針）の移動量（操作量：以下、単に「移動量」と言ったときは、横軸方向への移動距離を示す。）と移動方向、或いは操作者がペン等で表示部１１のタッチパネルに触れてその触れる位置を移動させるときはそのペン等の移動量と移動方向を検知する。この検知は指針１５０の移動時間に比較して速い処理サイクルで行われる。なお、第１の実施形態では、指、ペン等を指針１５０で説明する。
【００２２】
規定情報記憶部２４は、上記の指針１５０の移動量の大小に対して実際に波形マーカ１１０を移動させる波形マーカ１１０の移動変化量（以下「移動量」と言う。）の大小を表示部１１の画面の縦軸方向の距離（後記する「相対距離」に該当）に対応づけて複数段階ｎに分けて規定し、その規定情報を記憶しておく。例えば、波形マーカ移動量＝ｋ×（指針移動量）／Ｎ；ｋは比例定数、Ｎは自然数、として、その自然数Ｎを複数段階ｎに分ける。規定情報記憶部２４は、相対距離もｎ段階に分け、規定情報としての変化量Ｈ（Ｎ）＝（波形マーカ移動量）／（指針移動量）＝ｋ／ＮのＮに対する値を記憶しておく。以下では、ｋ＝１として説明する。例えば、１段階はＨ＝１、２段階目はＨ＝１／２、３段階目＝１／３、・・と言うように記憶しておく（この例では、ｎ＝Ｎであるが、これに限らない）。
【００２３】
相対距離検知部２３は、表示部１１の画面上で指針１５０の縦軸方向の初期位置を検知し、その後は、縦軸方向の上記複数段階のいずれかの段階にあるか検知する。初期位置の検知にあたって、相対距離検知部２３は、指針１５０が最初に置かれたものであるかどうか検知し、最初におかれたときの縦軸方向の位置を基準位置として検知する。そして、基準位置に上記の複数段階ｎのいずれかの段階を割り当てる。例えば、基準位置に１段階目（変化量Ｈ＝１）を割り当てる。その様子を図示したのが図５，図６の例である。図５では、相対距離検知部２３は、指針１５０の基準位置（初期位置）を（図５の［１］の位置）が画面の上の方にあるのを検知したとき、その基準位置を１段階目（Ｈ＝１）とし、それより下の位置になるにつれ、２段階目（Ｈ＝１／２）、３段階目（Ｈ＝１／３）、・・、６段階目まで、変化量Ｈを割当て規定する。図６では指針１５０の基準位置が低いため、基準位置から下位の３段回目まで規定される。なお、図５，図６で各段階が区分１６０で区分して示されているが、実際はこの区分１６０は、表示されない（表示しても良い）。相対距離検知部２３は、指針１５０が最初に置かれたものであるかどうかの検知は、例えば、波形マーカ１１０をオン・オフするスイッチがあって、そのスイッチのオン後に最初に配された指針１５０を最初の指針１５０であると認識することができる。なお、指針１５０の縦軸方向への移動時の各段階の区切りの認識は、例えば、連続した縦軸方向への移動したときをｋ段階目とし、次に、横軸方向への連続した移動の後の連続した縦軸方向への移動をｋ＋１段階目の移動と認識しても良いし、連続した縦軸方向への移動をｋ段階目とし、所定時間経過後或いは所定時間停止後（例えば、０．２秒後）の連続した縦軸方向への移動をｋ＋１段階目の移動と認識するようにしても良い。
【００２４】
相対距離検知部２３は、基準位置に上記の複数段階ｎのいずれかの段階を割り当てた後、相対距離検知部２３は指針１５０が基準位置より縦軸方向へどの程度移動したかを検知する。つまり相対距離を検知する。そして、相対距離が複数段階ｎのいずれに相当するか検知し、その段階に対応する変化量Ｈを規定情報記憶部２４から読み出し、マーカ生成部２１ｂへ送る。例えば、図５の指針１５０が図５の［１］の位置から［２］の位置へ下がった時の相対距離ＹＬの段階ｎが３段階目であるからこの段階（ｎ＝３）での変化量Ｈを規定情報記憶部２４からＨ＝１／３を読み出し、これをマーカ生成部２１ｂへ送る。なお、図５，図６の例では、指針１５０の初期位置から下部方向だけ、変化量が減衰する方向へ割り当てているが、併せて初期位置から上部方向へ増加するようにしてもよい。ただ、一般に、波形マーカ１１０を目標点に合わせるためには、減衰する方向を規定するだけで十分であろう。また、上部方向の相対距離に応じて減衰させることもできるが、指針１５０の位置が下がるにつれ、変化量Ｈの減衰が大きくなる方が操作上の違和感が少ないであろう。
【００２５】
再び、上記マーカ生成部２１ｂに戻って説明する。マーカ生成部２１ｂは、現在の波形マーカ１１０の横軸位置を記憶している。そして、指針１５０が相対距離（縦軸の位置）を変えないまま（例えば、上記ｎ＝３の段階）で横軸方向へ移動したとき（図５の指針１５０の位置［１］、［２］、［３］の動きを参照）、その指針１５０の移動量と移動方向を指示量検知部２２から受けて、その移動量と相対距離で定まる変化量Ｈとから波形マーカ移動量を求める。つまり、波形マーカ１１０の横軸位置を波形マーカ移動量＝Ｈ（例えば、ｎ＝３とすれば１／３）×（指針１５０の移動量）と決定する。そして、指針１５０が移動した方向に、その求めた波形マーカ移動量だけ、上記の現在の波形マーカ位置の移動させた横軸位置であって、その横軸位置の測定データ記憶部２１ａにある波形の大きさで示される縦軸位置に、波形マーカ１１０を表示する。
【００２６】
上記した、一連の動作「指針１５０の縦軸方向への移動―相対距離の検知―変化量の決定、及び指針１５０の横軸方向へ移動―指示量検知部２２による指針１５０の移動量の検知―マーカ生成部２１ｂによる波形マーカ１１０の位置決定及びその表示」は、指針１５０の移動中に上記した速い処理サイクルで行われて、波形マーカ１１０の位置が順次更新される。したがって、指針１５０の移動と波形マーカ１１０の移動とは、移動量（距離）が異なるものの時間差は少なく、操作によって波形マーカ１１０を違和感無く移動させることができる。
【００２７】
したがって、見方変えれば、同じ時間に指針１５０の移動量（距離）が大きく、波形マーカ１１０の移動量（距離）が少ないので、指標１５０の複数段階は、波形マーカ１１０の移動速度を複数段階に区分けし、相対距離検知部２３及びマーカ生成部２１ｂは、波形マーカ１１０の移動速度を決定しているとも言える。つまり、それぞれの移動量（距離）を速度（Ｖｍ、Ｖｓ）で表せば、波形マーカ移動量＝Ｖｍ・ｔ、指針移動量＝Ｖｓ・ｔになる。したがって、上記変化量Ｈ（Ｎ）＝（波形マーカ移動量）／（指針移動量）＝Ｖｍ・ｔ／Ｖｓ・ｔ＝Ｖｍ／Ｖｓ＝ｋ／Ｎで表せる。このような理由で、特許請求の範囲における「移動量」には、距離的、速度的、双方の概念を含む表現をしている。ただし、各実施形態の説明には、距離としての移動量で説明する。
【００２８】
実際の、第１の実施形態の一連の動作及び波形マーカ１１０の動きを、図８及び図２〜図４を基に、図８のステップ順に説明する。
【００２９】
ステップＳ１；タッチパネル構造の表示部１１に、測定部３０で測定された測定波形１００を生成して表示させ、かつ規定情報記憶部２４は、例えば予め６段階の変化量Ｈを、相対距離を区分けした段階ｎ＝１、２、３、４、５、６に応じて、例えば、変化量Ｈ＝１、１／２、１／３、１／４、１／５、１／６、を記憶している。
ステップＳ２；波形マーカ１１０を設定するマーカ用スイッチがオン（Ｍａｒｋｅｒ  ｏｎ）になっている状態で、マーカ生成部２１ｂは、波形マーカ１１０を生成して予め決めた初期位置に表示させる。
【００３０】
データ表示制御部２１は、マーカ生成部２１ｂが波形マーカ１１０の位置に相当する測定波形１００の横軸の値（例えば、時間又は周波数）と縦軸の値（例えば、その時間における波形の大きさ、又はその周波数における波形の大きさ）を読み出して、表示する。図２（Ａ）の測定値１４０を参照。以下、波形マーカ１１０の位置が更新される毎に測定値１４０も更新される。
【００３１】
ステップＳ３；操作者は指針（指）１５０を図２（Ａ）のように画面上部の位置［１］に配し、横軸方向へ移動させる。
ステップＳ４；相対距離検知部２３は、マーカ用スイッチがオン後に最初に配された最初の指針であるかどうかを判断する。最初の指針１５０の場合は、ステップＳ５の動作を行った後にステップＳ６の動作を行う。最初の指針１５０であると検知した後、次に検知される指針１５０は、最初の指針１５０でないものとして、ステップＳ６の動作を行う。
ステップＳ５；最初の指針１５０の縦軸方向の初期位置［１］を基準位置（図３の（Ａ）の初期位置（基準位置）Ｙ０を参照）として記憶するとともに、その位置［１］にｎ＝１の段階を割当て、規定情報記憶部２４から変化量Ｈ＝１を読み出してマーカ生成部２１ｂへ送る。
ステップＳ６；相対距離検知部２３は、指針１５０の移動が縦軸方向であるか、横軸方向であるかを検知し、前者であればステップＳ７へ、後者であれば、ステップＳ８へ進む。図２（Ａ）では、横軸方向へ移動しているのでステップＳ８へ進み指示量検知部２２が指針１５０の移動量を検出している。
ステップＳ７；相対距離検知部２３は指針１５０が縦軸方向のへ移動しておればその基準位置からの相対位置を求め、その相対距離に対応した段階の変化量を規定情報記憶部２４から読み出して、先の変化量Ｈ＝１に代えてマーカ生成部２１ｂへ送り、ステップＳ６へ戻って次の横軸方向への移動がくるのを待つ。図２（Ａ）では横方向の移動であるからこのステップＳ７は行われないので、変化量Ｈ＝１のままである。
ステップＳ８；マーカ生成部２１ｂは、図２（Ａ）のような横軸方向への指針１５０の移動量を指示量検知部２２から受け、かつ、そのときの変化量Ｈ＝１を相対距離検知部２３から受けて、波形マーカ移動量＝（指針１５０の図２（Ａ）の位置［１］から図２（Ｂ）の位置［２］までの移動量）×Ｈ（＝１）を求めて、その求めた横軸位置に波形マーカ１１０を移動させる（図２（Ｂ）の波形マーカ１１０の位置を参照）。
２巡目ステップＳ２、Ｓ３、Ｓ４，Ｓ６；図２（Ｂ）では波形マーカ１１０が目標点１３０を超えて行き過ぎてしまった例である。そこで、図２（Ｂ）のように波形マーカ１１０が表示されているとき（２巡目ステップＳ２）、図３（Ａ）のように指針１５０を［２］の位置から［３］の位置へ下げる（２巡目ステップＳ３）。この操作による指針１５０は最初の指針１５０ではなく（２巡目ステップＳ４―Ｎｏ）、かつ縦軸方向への移動である（２巡目ステップＳ６―縦）から相対距離検知部２３は指針１５０の基準位置（初期位置Ｙ０）からの相対位置ＹＬ１を求め、その相対距離ＹＬ１に対応した段階の変化量を規定情報記憶部２４から読み出す。位置［３］が相対距離の３段階（ｎ＝３）に相当するとすれば、読み出した変化量Ｈ＝１／３を先の変化量Ｈ＝１に代えてマーカ生成部２１ｂへ送り、ステップＳ６へ戻って横軸方向への移動を待つ（２巡目ステップＳ７）。
３巡目ステップＳ３、Ｓ４、Ｓ６、Ｓ８；更に操作により波形マーカ１１０を目標点１３０日に近づけるため、次に指針１５０を図３（Ａ）の位置［３］から図３（Ｂ）の位置［４］へ横軸方向へ移動したとき（３巡目ステップＳ３）、これは最初の指針１５０ではなく（３巡目ステップＳ４―Ｎｏ）、かつ縦軸方向への移動である（３巡目ステップＳ６―横）から、指示量検知部２２は、指針１５０の横軸方向の移動量を検知する。そして、マーカ生成部２１ｂは、横軸方向への移動量を指示量検知部２２から受け、かつ、そのときの変化量Ｈ＝１／３を相対距離検知部２３から受けて、波形マーカ移動量＝（指針１５０の位置［３］から位置［４］までの移動量）×Ｈ（＝１／３）を求めて、その求めた横軸位置に波形マーカ１１０を移動させる（図３（Ｂ）の波形マーカ１１０の位置を参照）。
以降の多巡回ステップＳ２〜Ｓ８；さらに、指針１５０を図４（Ａ）の位置［４］から位置［５］へ、さらに図４（Ｂ）の位置［６］へ移動させた場合、上記の２巡目ステップ、３巡目ステップを繰り返す。この場合図４（Ａ）の位置［５］が相対距離ＹＬ２が５段階目（ｎ＝５）であれば、波形マーカ１１０の波形マーカ移動量＝（位置５から位置［６］への移動量）×変化量Ｈ（＝１／５）となる。このようにして、指針１５０の操作量に対する波形マーカ移動量を１／１、１／３、１／５と、順に変更できるので、目標点１３０へ波形マーカ１１０を容易に合わせることができる（図４（Ｂ）を参照）。そして、波形マーカ１１０の位置におけるレベル、時間等の測定値１４０が読み出される。上記のように、その単一的に指針１５０の操作方向を変えることで、ギヤチェンジが可能なので、非常に操作しやすい。
【００３２】
上記の各ステップの動作は、ステップＳ３による指針１５０の移動中に所定の速い処理サイクルで動作する。したがって、指針１５０の移動と波形マーカ１１０の移動とは即座に対応しているように視覚できる。
【００３３】
上記動作を簡単に纏めると、例えば、図２（Ａ）で指針１５０を移動させた結果、波形マーカ１１０を指針１５０の移動量に対して１／１の速度（移動量）で移動させ、その結果、波形マーカ１１０が図２（Ｂ）のように目標点を通り過ぎた位置に表示されたとする。次に、操作者は、指針１５０を下げて図３（Ａ）のように基準点から３段階目に置いて、目標点側へ移動させる。そうすると波形マーカ１１０は指針の移動量に対して１／３の速度（移動量）で、図３（Ｂ）のように移動することになる。１／１の移動速度（移動量）に比べより調整しやすくなる。さらに、細かく微調整したい場合は、図４（Ａ）のように指針１５０をさらに５段階目に位置させた状態で移動させることで、波形マーカ１１０を指針１５０の移動量に対して１／５の速度（移動量）で、図４（Ｂ）のように目標点１３０に合わせることができる。
【００３４】
［第２の実施形態］
ここでは、図１の第１の実施形態がタッチパネルを用いていたのに対して、図９の構成による第２の実施形態は、画面にセンサ機能の無い通常の表示装置を用いた形態の場合である。タッチパネルの場合はタッチパネルそのものが操作者の指やペンでの操作をセンシングでき、かつ操作内容が視認できる構成であるが、第２の実施形態の場合は、操作者の指やペンの代わりに画面で視認できる指針マーカ１５０ａを表示させるとともに、その指針マーカ１５０ａを操作部４２からの操作で移動可能にすることで、第１の実施形態と同様の機能、効果を得ようとするものである。
【００３５】
以下、図９を基に第１の実施形態と異なった点を中心に説明する。図９で図１と同一符号の構成は同一機能を有する。
【００３６】
図９のユーザＩ／Ｆ部４０と表示制御部５０が、それぞれ、図１のユーザＩ／Ｆ部１０と表示制御部２０に該当するが、一部において異なる。
【００３７】
図９の実施形態では、ユーザＩ／Ｆ部４０の表示部４１が、図１の表示部１１の指針１５０の代わりなるものとして指針マーカ１５０ａを表示する。その指針マーカ１５０ａを移動させるのは、操作者が操作する操作部４２におけるマウス等である。表示制御部５０の指針マーカ生成部２５が、指針マーカ１５０ａを生成するとともに、操作部４２におけるマウス等の動きをエンコーダでコード化した操作量として受けて、その操作量に応じて指針マーカ１５０ａを移動させる（図１０の矢羽マークを参照）。
【００３８】
図９の指示量検知部２２は、操作部４２のマウス等の操作量を指針マーカ生成部２５から画面の横軸方向への移動量を受けて検知することになる。指針マーカ生成部２５が指針マーカ１５０ａを画面上で横軸方向へ移動させる量がそのまま指針マーカ１５０ａの移動量となる場合は、必ずしも指示量検知部２２は必要ではない（図９の指示量検知部２２が点線枠で囲んである理由）。また、図９の表示制御部５０の相対距離検知部２３は、指針マーカ生成部２５がマウス等の移動操作による操作量だけ画面の縦軸方向へ移動させた指針マーカ１５０ａの位置情報を受けて相対距離（段階）を検知して、規定情報記憶部２４からその検知した相対距離（段階）に対応した変化量Ｈを特定してマーカ生成部２１ｂへ送る。
【００３９】
その他の構成は、第１の実施形態と同じである。第１の実施形態の説明における指針１５０を指針マーカ１５０ａと言い換えれば、構成・動作は同じであるので、他の説明を省略する。
【００４０】
第１の実施形態の表示例である図２（Ａ）に対応して、第２の実施形態の表示例を図１０に示す。指針１５０が指針マーカ１５０ａに代わっただけである。
【００４１】
また、第２の実施形態の一連の動作を示すフローを図１１に示す。図１１と図８とは、図８における「指針」を「指針マーカ」に読み替えている点、及び、ステップＳ２ａで指針マーカ１５０ａを表示し、移動させる点で、異なる。図１１でその他ステップの動作は、図８と同じなので、説明を省略する。
【００４２】
（変形例１）
上記の場合は、いずれも表示部１１の画面の座標の縦軸に平行方向に相対距離を設定し、指針（マーカ）の基準位置からの相対距離に応じて変化量Ｈを設定しておき、指針（マーカ）の横軸方向の移動量を変化量Ｈで規定した量で波形マーカ１１０を移動させる構成としていたが、変形例としては、その縦軸、横軸の関係を逆にしても良い。つまり、図７に示すように、画面の横軸に平行な方向に基準点からの相対距離ＹＬを設定し、縦軸方向への移動量を相対距離に対応する変化量Ｈで規定した量で波形マーカ１１０を移動させる構成であっても良い。これは、上記の第１、第２の実施形態のいずれにも適用できる。
【００４３】
（変形例２）
上記第１の実施形態で基準位置を、指針１５０がマーカ用スイッチがオンされた後に最初に配された位置としてきたが、表示部１１がタッチパネルの場合、指針１５０がタッチパネルから離れた後に、次にタッチパネルに接触した位置を基準位置とすることもできる。つまり指針１５０がタッチパネルから離脱し、再タッチするごとに、基準位置をリセット、更新する構成としても良い。この場合は、相対距離検知部２３が、指針１５０の離脱、再タッチを検出して都度、基準位置を更新することで、対応できる。
【００４４】
［第３の実施形態］
第３の実施形態は、幅が可変なゾーンマーカ１７０を有し、第１の実施形態における波形マーカ１１０をそのゾーンマーカ１７０内の測定波形１００のピーク点に表示されるピークマーカ１８０としての機能を持たせたものである。ただし、直接に操作者が操作対象とするのは、上記のようにゾーンマーカ１７０である。
【００４５】
図１２を基に第３の実施形態について説明する。図１２で、図１，図９と同一符号を付した要部は、同一機能を有する。
【００４６】
表示制御部６０内のデータ表示制御部６１は、測定データ記憶部６１ａに、測定部３０からの測定波形１００を、測定されたときの測定時間範囲における時間情報（横軸の位置に相当）をアドレスとしてその波形の大きさ（縦軸の位置に相当）を記憶する。そして、測定データ記憶部６１ａに記憶された波形データを、表示部１１上の画面上に横軸―縦軸の座標とともに測定波形１００として表示させる（図１４を参照）。なお、表示部１１は、タッチパネルで構成されているとして説明する。そして、マーカ操作（後記する１７０の移動操作）は第１の実施形態と同様に指針として指を用いる形態で説明する。
【００４７】
ゾーンマーカ生成部６４は、装置がスイッチオンされたときはデフォルトの位置と幅で、その後は後記する位置検知部６３ａからの指示に従った位置（以下、「ゾーン位置」と言う。）と幅（以下「ゾーン幅」と言うことがある。）のゾーンマーカ１７０を生成して、表示部１１に表示させる。この場合、指定されたゾーン位置（ゾーンのセンター位置）を中心にゾーン幅を変更する。図１４に所定幅のゾーン幅を有する棒状のゾーンマーカ１７０の例を示す。
【００４８】
ピークマーカ生成部６１ｂは、位置検知部６３ａから（或いはゾーンマーカ生成部６４から）ゾーン位置とゾーン幅の情報を受けて、そのゾーン位置とゾーン幅の情報に該当する時間位置及び時間幅を算出して、その時間位置及び時間幅における測定波形１００の測定データを測定データ記憶部６１ａから読み出して、そのゾーン幅内における測定波形１００のピーク値を求める。そして、その測定波形１００のピーク位置にピークマーカ１８０を生成して表示させる（図１４の▽印を参照）。なお、データ表示制御部６１は、その測定時間範囲を表示部１１の表示面の物理的なフルスケール範囲（例えば、５１２ドット）に割り振って表示させる。一方で、ゾーン位置及びゾーン幅は、表示部１１の表示面の物理的な位置、範囲であるので、ピークマーカ生成部６１ｂは、ゾーン位置及びゾーン幅を受けて、測定データ記憶部６１ａに記憶されている測定時間範囲を参照して時間の位置及び幅に換算している。
【００４９】
規定情報記憶部６３ｂには、出荷前、或いは測定前に、予め、指針１５０の縦方向への複数段階ｎ（後記する、相対距離に相当する。）に分けて、ゾーン幅の変化量Ｈｗ（変化の割合）を記憶しておく。例えば、第１の実施形態における段階と同様に、６段階に分け、指針１５０の位置が下がる程、変化量Ｈｗ＝１／１、１／２、１／３、１／４、１／５、１／６というようにゾーン幅が狭くなる値を記憶しておく（６段階に限らない。連続的であっても良い。又、段階的に識別表示しても良い。さらにゾーン幅の広狭方向は、上記と逆であっても良い。）。また、割合である変化量Ｈｗで規定しているが絶対値、例えば、１段階目は、（横軸の物理的フルスケール範囲）／１０（例えば５０ドット）、２段階目は（横軸の物理的フルスケール範囲）／２０（例えば、２５ドット）、・・・というように決めても良い。以下では、変化量Ｈｗで説明する。
【００５０】
ゾーン制御部６３の位置検知部６３ａは、図１４に示すようにタッチパネルの表示部１１の画面（波形データを表示する表示領域、つまり横軸―縦軸で示される座標が表示される領域、以下同様の意味である。）上の、上記ゾーンマーカ１７０を移動させるために、指針１５０が操作されたときのゾーン幅方向への移動量（横軸方向の移動量；以下「幅方向移動量」と言う。）と縦軸方向の位置とを検知する。例えば、操作者が指で画面のタッチパネルに触れてその触れる位置（指針１５０の位置）を移動させるときのその指（指針）の幅方向移動量と縦軸位置とを検知する。この検知は指針１５０の移動時間に比較して速い処理サイクルで行われる。なお、第３の実施形態では、指、ペン等を指針１５０で説明する。
【００５１】
そして、位置検知部６３ａによる縦軸位置の検知にあたっては、第１の実施形態の相対距離検知部２３と同様に、表示部１１の画面上で指針１５０の縦軸方向の初期位置を検知し、その後は、上記複数段階のいずれかの段階にあるか検知する。つまり、次のような処理を行う。位置検知部６３ａは、指針１５０が最初に置かれたものであるかどうか検知し、最初におかれたときの縦軸位置を基準位置として検知し記憶する。そして、基準位置に上記の複数段階ｎのいずれかの段階を割り当てる。例えば、基準位置に１段階目（変化量Ｈ＝１）を割り当てる（図５，６を参照。図５，６は、第１の実施形態用の図であるが、変化量の割当のしかたは第３実施形態でも同じ）。図５の場合では、指針１５０の初期位置（図５の［１］の位置）を基準位置として１段階目（変化量Ｈｗ＝１）とし、それより下の位置になるにつれ、２段階目（Ｈｗ＝１／２）、３段階目（Ｈｗ＝１／３）、・・、６段階目までの相対位置（段階ｎ）を割り当てることによって、ゾーン幅の変化量Ｈｗを割当て規定する。図６の場合では指針１５０の初期位置が低いため、初期位置から下位の３段回目まで規定される。位置検知部６３ａは、指針１５０が最初に置かれたものであるかどうかの検知方法、縦軸位置の検知方法は、第１の実施形態の相対距離検知部２３による検知と同様である。
【００５２】
初期位置を検知後、位置検知部６３ａは、初期位置を基準位置として上記の複数段階ｎのいずれかの段階を割り当てた後、相対距離検知部２３は指針１５０が基準位置より縦軸方向へどの程度移動したかを検知する。つまり相対距離を検知する。そして、相対距離が複数段階ｎのいずれに相当するか検知し、その段階に対応する移動の変化量（割合）Ｈｗを規定情報記憶部６３ｂから読み出し、ゾーンマーカ生成部６４及びピークマーカ生成部６１ｂへ送る。このとき、位置検知部６３ａは、指針１５０の幅方向移動量も検知し、上記の変化量Ｈｗとともにこの幅方向移動量を、ゾーンマーカ生成部６４及びピークマーカ生成部６１ｂへ送る。例えば、図５の場合では、指針１５０が図５の［１］の位置から［２］の位置へ下がった時の相対距離ＹＬの段階ｎが３段階目であるからこの段階（ｎ＝３）での変化量Ｈｗとして規定情報記憶部６３ｂからＨｗ＝１／３を読み出し、これをゾーンマーカ生成部６４及びピークマーカ生成部６１ｂへ送る。そして、指針１５０の横軸方向の幅方向移動量も検知し、上記の変化量Ｈｗとともにこの幅方向移動量を、ゾーンマーカ生成部６４及びピークマーカ生成部６１ｂへ送る。
【００５３】
そうすることにより、ゾーンマーカ生成部６４は、表示部１１上で、上記したように位置検知部６３ａからデフォルトのゾーン幅に指示された変化量Ｈｗをかけたゾーン幅のゾーンマーカ１７０を生成し、位置検知部６３ａから指示された幅方向移動量に対応するゾーン位置に配置する。一方、ピークマーカ生成部６１ｂは、位置検知部６３ａから指示された幅方向移動量に対応するゾーン位置で決定される時間位置（横軸位置）を中心に、デフォルトのゾーン幅に指示された変化量Ｈｗをかけたゾーン幅に相当する時間幅内の測定波形１００の波形データを測定データ記憶部６１ａから読みだして、その読みだされた波形データの中から最大値を示す波形位置を求めて、その波形位置にピークマーカ１８０を付して表示させる。
【００５４】
なお、指針１５０で変更指示してから、ゾーンマーカ１７０及びピークマーカ１８０が変更された位置に表示される迄の時間は、速いスピードで処理されるので、操作者は、ゾ−ンマーカ１７０のゾーン幅及びゾーン位置の変更をし、その結果を違和感無く（スムースに）知ることができる。
【００５５】
次に図１４から図１７の表示例を参照しながら、使用方法を含む一連の動作を説明する（一部は、上記説明と重なる）。
【００５６】
図１４は横軸が測定時間で縦軸が測定波形１００の大きさを示す。ここでは、図１４のゾーンマーカ１７０の位置から測定したい目標点１３０（○印）にセットするまでの動作を説明する。図１４は、ゾーンマーカ生成部６４がデフォルトとして所定のゾーン位置に所定幅のゾーン幅を有するゾーンマーカ１７０を表示し、ピークマーカ生成部６１ｂがそのゾーン位置及びゾーン幅内の測定波形１００のデータのピーク位置をサーチして、その位置にピークマーカ１８０を表示している状態である。
【００５７】
操作者が、図１４において、指針１５０（指）を表示面（図１４の［１］位置）に置いて、目標点１３０に向けて移動させる。位置検知部６３ａは、置かれたその指針１５０の縦軸位置を検知しその位置を基準位置（１段階目）として記憶するとともに、指針１５０の横軸方向へ幅方向移動量を検知する。そして、１段階目の変化量Ｈｗ＝１／１を規定情報記憶部６３ｂから読み出して、ゾーンマーカ生成部６４及びピークマーカ生成部６１ｂへ送る。ゾーンマーカ生成部６４は変化量Ｈｗ＝１／１であるからゾーンマーカ１７０の幅をデフォルトのゾーン幅のままにし、次に指針１５０が横軸方向へ移動したとき、位置検知部６３ａが検知した幅方向移動量に応じたゾーン位置（図１５の［２］の位置）へゾーンマーカ１７０を移動させる。ピークマーカ生成部６１ｂは移動先のゾーン位置（図１５の［２］の位置）でデフォルトのゾーン幅に相当する時間幅内の測定波形１００の波形データを測定データ記憶部６１ａから読みだして、その読みだされた波形データの中から最大値を示す波形位置を求めて、その位置にピークマーカ１８０を付して表示させる（図１５の▽印）。
【００５８】
図１５では、ピークマーカ１８０が目標点の隣のピーク位置にあり、未だ目標点１３０へ行かないので、さらにゾーン幅を狭める必要がある。そこで操作者は、図１５の指針１５０を［２］の位置から、図１６の［３］の位置へ、つまり縦軸方向に２段階目（相対距離）に下げる。そうすると、位置検知部６３ａは、指針１５０の縦軸位置を検知し基準位置（１段階目）から２段階目の位置（相対距離）に在ることを検知する。そして、２段階目の変化量Ｈｗ＝１／２を規定情報記憶部６３ｂから読み出して、やはり検知した移動量に対応するゾーン位置（この場合、横軸方向の移動は行われていないのでゾーン位置は［２］と同じ。）と共にゾーンマーカ生成部６４及びピークマーカ生成部６１ｂへ送る。ゾーンマーカ生成部６４はデフォルトのゾーン幅に変化量Ｈｗ＝１／２を掛けたゾーン幅にし、ゾーン位置（図１５の［２］の位置）はそのままとする。ピークマーカ生成部６１ｂはデフォルトのゾーン幅の１／２に相当する時間幅内の測定波形１００の波形データを測定データ記憶部６１ａから読みだして、その読みだされた波形データの中から最大値を示す波形位置を求めて、その位置にピークマーカ１８０を付して表示させる（図１６の▽印）。
【００５９】
さらに操作者は、図１６のように、指針１５０の横軸位置を移動させることで、ゾーン位置［３］（［２］も同じ）の位置から、［４］の位置へ移動させ、ゾーン幅内に目標点１３０が入るように移動させる。この場合は、図５と同様に２段階目の変化量Ｈｗ＝１／２そのままである。そうすることにより、ピークマーカ生成部６１ｂは、新しいゾーン位置（図１６の［４］の位置）におけるデフォルトのゾーン幅の１／２に相当する時間幅内の測定波形１００の波形データを測定データ記憶部６１ａから読みだして、その読みだされた波形データの中から最大値を示す波形位置を求めて、その位置にピークマーカ１８０を付して表示させる（図１７の▽印）。
【００６０】
上記構成により、ゾーンマーカ１７０の幅をスムースに変更しながら移動させることができるので、目標点１３０近くにあるピーク点をスムースに分離して、ゾーンマーカ１７０により目標点１３０を捉えることができる。
【００６１】
なお、上記第３の実施形態では、変化量Ｈｗをデフォルト値に対する相対値である倍率示したが、絶対値であっても良い。倍率であれば、５段階で、Ｈｗ＝１／１、１／２、・・・・、１／６と言うように、絶対値の場合は、横軸の測定時間幅（表示時間幅）に関係なく、横軸の物理的な表示ポイントがＮポイントであれば、例えば、５段階として１段階目の幅Ｈｗｓ＝Ｎ／１０、２段階目の幅Ｈｗｓ＝Ｎ／２０、・・・、６段階目の幅Ｈｗｓ＝Ｎ／６０と言うようにして規定情報記憶部６３ｂに記憶して置けば良い。
【００６２】
［第４の実施形態］
図１３を基に第４の実施形態について説明する。図１３で、図１、図９、図１２と同一符号を付した要部は、同一機能を有する。
【００６３】
第４の実施形態は、第３の実施形態において、図１３におけるユーザＩＦ部４０の表示部４１をタッチパネルではない通常の表示部に変更したものである。それにしたがって、第３の実施形態で指針１５０を指として説明していたが、その指に代わるマーカとしての指針マーカ１５０ａを操作部４２から操作できる構成にしたものである。つまり、図１３の表示制御部６０Ａ内の指針マーカ生成部６７が、操作部４２からのエンコーダ等（例えば、マウス）により操作者による操作量、方向を示す情報を受けて、その情報に沿った移動方向、位置に指針マーカ１５０ａを生成して表示部４２に表示させるとともに、その指針マーカ１５０ａの移動方向、位置を位置検知部６３ａに知らせる。その他の動作は、第３の実施形態と同じなので説明を省略する。
【００６４】
［第５の実施形態］
図１８を基に第５の実施形態について説明する。図１８で、図１、図９、図１２、図１３と同一符号を付した要部は、同一機能を有する。なお第５の実施形態も横軸が時間、縦軸がレベルで測定した例をもって説明する。
【００６５】
第３の実施形態が、指針１５０の縦位置に応じてゾーンマーカ１７０の幅を変えて、測定波形１００に対する指示分解能を変更していたのに対して、第５の実施形態は、ゾーンマーカ１７０の幅を一定幅にしたまま測定波形１００を表示するときの表示範囲（「表示時間範囲」とも言える。）を変更することで、ゾーンマーカ１７０の測定波形１００に対する指示分解能を変更することで、目標点１３０をピークマーカ１８０で捉えやすくしたものである。したがって、第３の実施形態と第５の実施形態では、指示分解能を良くするために制御する対象が異なるものの、相対的に、かつ実効的に同じ思想である。
【００６６】
ただし、測定部３０は、後記するように測定波形１００を表示するときの横軸の表示時間幅の拡大／縮小に対応できるように、横軸の時間の細かさのデータ数を取得して、測定波形１００の測定データとして測定データ記憶部６１ａに記憶させておくものとする。例えば、横軸を物理的な表示ポイント数をＬとしたときの、表示時間幅を最小に縮小時（この場合、表示画像の横方向は拡大表示される。）の時間幅ΔＴを表示するとし、最大Ｍａｘ倍に時間幅を拡大可能（画像としては縮小）にするためには、（ΔＴ／Ｌ）÷Ｍａｘより細かい細かさで、Ｌ×Ｍａｘ個以上のデータ数を取得しておく。上記の例で、表示時間幅が１／１から１／６まで６段階で変化するとすれば、Ｍａｘの時間幅が１段階目で、最小縮小時の時間幅が６段階目に相当する。
【００６７】
また、表示部１１をタッチパネルで構成した例が、第５の実施形態であり、通常の表示部で構成した例が、後記する第６の実施形態である。
【００６８】
図１８において、以下、図１２との差違を中心に説明する。図１８の表示制御部６０Ｂ内のスパン制御部６５内の規定情報記憶部６５ｂには、出荷前、或いは測定前に、予め、上記の指針１５０（指）の縦軸位置に対応した、表示させるために測定データ記憶部６１ａから読み出す時間範囲（横軸における表示時間幅になる。スパン幅とも言われる。）を記憶しておく。例えば、縦軸位置の高い方から低い方にｎ段階に分け、指針１５０の位置が下がる程、表示時間幅が短くなる値（表示される画像の横軸方向が拡大される方向）を記憶しておく。規定情報記憶部６５ｂに記憶される表示時間幅は、第３の実施形態と同様に、表示時間幅の変化量Ｈｗ（倍率）で規定しても良いし、絶対値（横軸の物理的な表示ポイント数）で規定しても良い。ここでは、変化量Ｈｗで説明する。また、これらは表示時間幅で規定したが、画像の拡大／縮小で規定してもよい。この場合は、変化率Ｈｗは１段階目６倍、２段階目が２倍、・・、６段階目が１倍というように、表示時間幅とは逆の関係になる。
【００６９】
図１８のスパン制御部６５の位置検知部６５ａは、第３の実施形態の位置検知部６３ａがゾーンマーカ１７０の幅を決定する代わりに、表示時間幅（スパン）を決定する違いはあるが、他の動作は同じである。以下、簡単に説明する。図１５に示すようにタッチパネルの表示部１１の画面上で指針１５０が操作されたときの横軸方向の幅方向移動量と縦軸方向の位置とを検知する。例えば、操作者が指で画面のタッチパネルに触れてその触れる位置（指針１５０の位置）を移動させるときのその指（指針）の幅方向移動量と縦位置とを検知する。
【００７０】
詳しくは次の通りである。位置検知部６５ａは、指針１５０が最初に置かれたものであるかどうか検知し、最初におかれたときの縦軸位置を基準位置として検知し記憶する。そして、基準位置に上記の規定情報記憶部６５ｂに記憶されている複数段階ｎのいずれかの段階を割り当てる。例えば、基準位置に１段階目（変化量Ｈｗ＝１）を割り当てる。その後、位置検知部６５ａは、指針１５０が基準位置より縦軸方向へどの程度移動したかを検知する。つまり相対距離を検知する。そして、相対距離が複数段階ｎのいずれに相当するか検知し、その段階に対応する変化量（割合）Ｈｗを規定情報記憶部６５ｂから読み出し、ピークマーカ生成部６１ｂへ送る。このとき、位置検知部６５ａは、指針１５０の横軸方向の幅方向移動量も検知し、ゾーンマーカ生成部６４及びピークマーカ生成部６１ｂへ送る。例えば、図２１の指針１５０が［２］の位置から図２２の［３］の位置へ下がった時の相対距離ＹＬの段階ｎが３段階目であるからこの段階（ｎ＝３）での変化量Ｈｗとして規定情報記憶部６５ｂからＨｗ＝１／３を読み出し、これをゾーンマーカ生成部６４及びピークマーカ生成部６１ｂへ送る。このとき、位置検知部６５ａは、指針１５０の横軸方向の幅方向移動量も検知し、上記の変化量Ｈｗとともにこの幅方向移動量を、ゾーンマーカ生成部６４及びピークマーカ生成部２１ｂへ送る。
【００７１】
ゾーマーカ生成部６４は、一定の幅の縦長の棒状のゾーンマーカ１７０を生成し、位置検知部６５ａから指示された幅方向移動量だけ移動したゾーン位置（ゾーンマーカ１７０のセンターの位置）に表示する。一方、ゾーマーカ生成部６４は、一定の幅の情報をピークマーカ生成部６１ｂに送る。
【００７２】
データ表示制御部６１は、位置検知部６５ａが検知したゾーン位置に該当する時間位置を中心に、横軸を、デフォルトの表示時間幅を基に上記の位置検知部６５ａから受けた変化量Ｈｗに相当する表示時間幅に変更し、縦軸を測定波形１００の大きさとする座標と、測定データ記憶部６１ａに記憶されている測定波形１００を表示部１１に表示させる。ゾーンマーカ生成部６４で生成された最新のゾーンマーカ１７０はこの表示部１１に表示されている測定波形１００上に表示される。データ表示制御部６１は、例えば、上記のように変化量Ｈｗ＝１／１〜１／６の範囲を採るとき、変化量Ｈｗ＝１／１の場合はデフォルトの幅であって最大表示の時間幅６×ΔＴ（変化量Ｈｗ＝１／１は、変化量Ｈｗ＝１／６に対して６倍）で表示し、変化量Ｈｗ＝１／６のとき最小表示の時間幅ΔＴで表示する。
【００７３】
ピークマーカ生成部６１ｂは、測定データ記憶部６１ａから位置検知部６５ａが検知した移動量に対応したゾーン位置に該当する時間位置を中心（ゾーンマーカ１７０の中心位置）にゾーンマーカ生成部６４から指示されたゾーンマーカ１７０の幅の時間範囲に該当するデータを読み出して、ゾーン幅内で最大値を示す波形位置をサーチし、その表示部１１上のサーチした波形位置にピークマーカ１８０を表示させる。
【００７４】
指針１５０（指）が移動してから、その指針１５０の縦軸位置、幅方向移動量を検知して最新のゾーンマーカ１７０及びピークマーカ１８０が表示されるまでの処理時間は短いので、操作者は違和感なく観察できる。
【００７５】
次に図２０〜２２を基に、操作方法と併せて、一連の動作を説明する。
図２０は横軸が測定時間で縦軸が測定波形１００の大きさを示す。ここでは、図２０のゾーンマーカ１７０の位置から測定したい目標点１３０（○印）にセットするまでの動作を説明する。図２０は、ゾーンマーカ生成部６４がデフォルトとして所定のゾーン位置に一定幅のゾーン幅のゾーンマーカ１７０を表示し、ピークマーカ生成部６１ｂがそのゾーン位置及びゾーン幅内の測定波形１００のデータのピーク位置をサーチして、その位置におけるピークマーカ１８０を表示している状態として説明する。
【００７６】
操作者が、図２０において、指針１５０（指）を表示面に置いて、目標点１３０に向けて移動させる。そのとき位置検知部６５ａは、指針１５０が最初に置かれたものであるかどうか検知し、最初におかれたときの縦軸位置を基準位置（図２０の［１］の縦軸位置）として検知し記憶する。そして、基準位置に上記の規定情報記憶部６５ｂに記憶されている複数段階ｎの１段階目（変化量Ｈｗ＝１）を割り当てる。そして、操作者が、指針１５０（指）を図２０の［１］位置から、目標点１３０に向けて横軸方向へ移動させている間、１段階目の変化量Ｈｗ＝１／１を規定情報記憶部６５ｂから読み出して、同時に検知している指針１５０の幅方向の移動量と共にゾーンマーカ生成部６４及びピークマーカ生成部６１ｂへ送る。
【００７７】
データ表示制御部６１は、変化量Ｈｗ＝１／１であるからデフォルトの時間幅のまま測定波形１００を表示させる。ゾーンマーカ生成部６４はデフォルトのゾーン幅で、指定された幅方向移動量に対応するゾーン位置（図２１の［２］に相当する位置）へゾーンマーカ１７０を移動させる。ピークマーカ生成部６１ｂは指定された位置（図２１の［２］の位置）に相当する位置におけるデフォルトの時間幅内の測定波形１００の波形データを測定データ記憶部６１ａから読みだして、その読みだされた波形データの中から最大値を示す波形位置を求めて、その位置にピークマーカ１８０を付して表示させる（図２１の▽印）。
【００７８】
図２１では、ピークマーカ１８０が未だ目標点１３０へ行かないので、さらに表示時間幅を広める必要がある。そこで操作者は、図２１の指針１５０を［２］の位置から、図２２の［３］の位置へ、つまり縦軸方向に２段階目（相対距離）に下げる。そうすると、位置検知部６５ａは、指針１５０の縦軸位置を検知し基準位置（１段階目）から２段階目の位置（相対距離）に在ることを検知する。そして、２段階目の変化量Ｈｗ＝１／２を規定情報記憶部６５ｂから読み出して、検知した幅方向移動量に対応するゾーン位置（この場合、横軸方向のゾーン位置は［２］と同じ。）と共に、ゾーンマーカ生成部６４及びピークマーカ生成部６１ｂへ送る。データ表示制御部６１は、デフォルトの時間幅（Ｈｗ＝１／１の時の時間幅）に変化量Ｈｗ＝１／２を掛けた時間幅（１／２倍）に相当する測定波形１００の波形データを測定データ記憶部６１ａから読みだして表示させる（図２２の波形、横軸の時間幅を参照）。ゾーンマーカ生成部６４はゾーン位置（図２２の［２］の位置）はそのままとする。ピークマーカ生成部６１ｂはデフォルトの時間幅の１／２倍の時間幅内の測定波形１００の波形データを測定データ記憶部６１ａから読みだして、その読みだされた測定波形１００の中から最大値を示す波形位置を求めて、その位置にピークマーカ１８０を付して表示させる（図２２の▽印）。図２２では、目標点１３０にピークマーカ１８０が表示され、そのピークの波形位置における測定値が、画面の右サイドに数値として表示される。
【００７９】
上記構成により、測定波形１００の表示範囲をスムースに変更しながら移動させることができるので、相対的にゾーンマーカ１７０の指示解能を上げることにより、目標点１３０近くにあるピーク点をスムースに分離して、ゾーンマーカ１７０により目標点１３０を捉えることができる。
【００８０】
［第６の実施形態］
図１９を基に第６の実施形態について説明する。図１９で、図１、図９、図１２、図１３、図１８と同一符号を付した要部は、同一機能を有する。
【００８１】
第６の実施形態は第５の実施形態において、図１９におけるユーザＩＦ部４０の表示部４１をタッチパネルではない通常の表示部に変更したものである。それにしたがって、第５の実施形態で指針１５０を指として説明していたが、その指に代わるマーカとしての指針マーカ１５０ａを操作部４２から操作できる構成にしたものである。つまり、図１９の表示制御部６０Ｃ内の指針マーカ生成部６７が、操作部４２からのエンコーダ等により操作者による操作量、方向を示す情報を受けて、その情報に沿った移動方向、位置に指針マーカ１５０ａを生成して表示部４１に表示させるとともに、その指針マーカ１５０ａの移動方向、位置を位置検知部６５ａに知らせる。その他の動作は、第５の実施形態と同じなので説明を省略する。
【００８２】
上記の第１〜第６の実施形態の各表示制御部は、上記説明の機能動作を行うプログラム及びそれを実行するＣＰＵ、及びデータを記憶するメモリを含んで構成される。各表示制御部は機能動作毎にブロック分けして説明しているが、各機能動作及びブロックを集合・離散させて動作させることも可能である。いずれにしても、本発明の主旨を実行する機能動作を実行する構成を有する限り、本発明の範疇である。
【００８３】
なお、最後に、全実施形態を纏めると次のような構成にまとめることができる。つまり、操作部と表示部とを有するユーザＩ／Ｆ部と、被測定物又は被測定信号を測定する測定部と、前記測定部により得られた測定データに基づいて前記表示部に所定表示範囲の測定データを測定波形として表示させるデータ表示制御部、該測定波形上に前記ユーザＩ／Ｆ部からのマーカ操作に応じて所定方向に移動可能な波形マーカを重ねて表示するマーカ表示制御部を有する表示制御部とを備えた測定装置において、
前記表示制御部は、
前記波形マーカの前記表示範囲上での移動方向への実効的移動量（実効的変化量）を規定する規定情報を、前記マーカ操作による前記移動方向と異なる他の方向への第１の操作量に対応づけて記憶する規定情報記憶部と、
前記マーカ操作がなされたとき、該マーカ操作による前記移動方向とは異なる他の方向への第１の操作量、及び前記マーカ操作による前記移動方向への第２の操作量を検知する検知部とを備え、
検知された第１の操作量に対応する規定情報を読み出し、該読み出した規定情報で規定された前記実効的移動量と第２の操作量を基に、前記波形マーカを移動させることを特徴とする測定装置。
【００８４】
この構成で、実効的移動量（実効的変化量）とは、第１、２の実施形態では、波形マーカ１１０の移動量（移動速度）であり、第３、４の実施形態では、表示時間範囲に対するゾーンマーカの幅であり、第５、６の実施形態では、ゾーンマーカの幅に対する表示時間範囲である。言い換えれば、第１、２の実施形態では、操作量に対する波形マーカ１１０の移動量（移動速度）の大小で、第３、４、５、６の実施形態では、表示時間範囲とゾーンマーカの幅の相対的な範囲（幅）の大小で、微調整、粗調整をコントロールしている。又、更に言い換えれば、実効的移動量（実効的変化量）とは、マーカ（波形マーカ、ゾーンマーカ）を移動して目標点へ設定するときの細かさ（いわば設定分解能）であるということもできる。
【符号の説明】
【００８５】
１０  ユーザＩ／Ｆ部
１１  表示部
１２  操作部
２０  表示制御部
２１  データ表示制御部
２１ａ  測定データ記憶部
２１ｂ  マーカ生成部
２２  指示量検知部
２３  相対距離検知部
２４  規定情報記憶部
２５  指針マーカ生成部
３０  測定部
３０ａ  信号発生部
３０ｂ  信号解析部
４０  ユーザＩ／Ｆ部
４１  表示部
４２  操作部
５０  表示制御部
６０  表示制御部
６０Ａ  表示制御部
６０Ｂ  表示制御部
６０Ｃ  表示制御部
６１  データ表示制御部
６１ａ  測定データ記憶部
６１ｂ  ピークマーカ生成部
６３  ゾーン制御部
６３ａ  位置検知部
６３ｂ  規定情報記憶部
６４  ゾーンマーカ生成部
６５  スパン制御部
６５ａ  位置検知部
６５ｂ  規定情報記憶部
６７  指針マーカ生成部
１００  測定波形
１１０  波形マーカ
１３０  目標点
１４０  測定値
１５０  指針
１５０ａ  指針マーカ
１６０  区分線
１７０  ゾーンマーカ
１８０  ピークマーカ
【図８】
0005632349.tif 000002
【図９】
0005632349.tif 000003
【図１１】
0005632349.tif 000004
【図１３】
0005632349.tif 000005
【図１９】
0005632349.tif 000006
【図１】
0005632349.tif 000007
【図２】
0005632349.tif 000008
【図３】
0005632349.tif 000009
【図４】
0005632349.tif 000010
【図５】
0005632349.tif 000011
【図６】
0005632349.tif 000012
【図７】
0005632349.tif 000013
【図１０】
0005632349.tif 000014
【図１２】
0005632349.tif 000015
【図１４】
0005632349.tif 000016
【図１５】
0005632349.tif 000017
【図１６】
0005632349.tif 000018
【図１７】
0005632349.tif 000019
【図１８】
0005632349.tif 000020
【図２０】
0005632349.tif 000021
【図２１】
0005632349.tif 000022
【図２２】
0005632349.tif 000023